(57)【要約】【課題】動作に関わる設定値を所望の値に正確に設定することができ、且つ、悪戯や不用意な操作で設定値が変更されるのを防止した熱線センサ付自動スイッチを提供する。【解決手段】熱線センサ付自動スイッチ２のスイッチ本体はボディ２１とカバー２４とで構成され、ボディ２１の前面中央には熱線センサ部を収納した回転体２７が配置され、ボディ２１の前面を露出させた状態で天井面に設けた取付孔に埋込配設される。ボディ２１の前面にはプレート２５で覆われる部位に液晶表示部１６ａと４個のスイッチの操作釦１７ａ〜１７ｄとが配設されている。この熱線センサ付自動スイッチ２ではスイッチの動作に関わる複数の設定項目を調整可能であり、液晶表示部１６ａの表示を見ながら、操作釦１７ａ〜１７ｄを用いて入力する設定項目を選択したり、その値を増減させることができる。【選択図】      図１
2004150834.tif 000002
【特許請求の範囲】
【請求項１】
それぞれ個別のアドレスデータが設定された複数台の端末器を信号線に接続し、前記信号線に接続された伝送ユニットからアドレスデータを含む伝送信号を前記信号線に時分割多重伝送方式で送出することによって前記各端末器を個別にアクセスし、前記伝送ユニットは、伝送信号に同期して設定した信号返信期間に何れかの端末器からの監視データを受信すると、監視データに基づいて制御データを作成し、監視データを発生した端末器とアドレスの対応関係が設定された端末器に対して制御データを上記伝送信号により伝送し、当該端末器では受信した制御データにより負荷の動作を制御する遠隔監視制御システムに用いられ、
所定の検知エリア内の人体から放射される熱線を検知する熱線センサ部と、前記信号線に接続されて時分割多重伝送方式により伝送信号を授受する伝送通信部と、熱線センサ部の検知入力に基づいて負荷を制御する監視データを出力する信号処理部と、信号処理部の出力した監視データを伝送通信部から送信させる伝送制御部と、前記各部を収納するとともに前記熱線センサ部が前面に配置され、前面を露出させた状態で天井面に設けた取付孔に埋込配設されるスイッチ本体と、スイッチ本体の前面における熱線センサ部以外の部位を着脱自在に覆う化粧カバーとを備え、前記各部の動作に関わる設定項目の値を押操作に応じて増減させる設定値入力部、及び該設定値入力部を用いて調整される値を表示する表示部をスイッチ本体前面の化粧カバーで覆われる部位に配置したことを特徴とする遠隔監視制御システムの熱線センサ付自動スイッチ。
【請求項２】
上記信号線には上記設定項目の値を入力する入力手段を備えた設定用の端末器が接続され、上記伝送ユニットは、設定用の端末器が入力手段の入力操作に応じて発生した監視データを受信すると、受信した監視データに応じて上記設定項目の値を設定するための制御データを作成し、作成した制御データを伝送信号により伝送しており、上記伝送通信部が受信した伝送信号に含まれる制御データに応じて設定項目の値を設定する設定部を設けたことを特徴とする請求項１記載の遠隔監視制御システムの熱線センサ付自動スイッチ。
【請求項３】
外部の設定器からワイヤレス信号で送信される設定値を受信するワイヤレス受信部と、ワイヤレス受信部で受信した設定項目の値を設定する設定部とを備えて成ることを特徴とする請求項１記載の遠隔監視制御システムの熱線センサ付自動スイッチ。
【請求項４】
信号処理部は、熱線センサ部が熱線を検知すると負荷を動作させるとともに、熱線センサ部が熱線を検知しなくなってから所定の動作保持時間が経過した時点で負荷を停止させるような制御を行っており、上記設定項目が動作保持時間であることを特徴とする請求項１乃至請求項３の何れか１つに記載の遠隔監視制御システムの熱線センサ付自動スイッチ。
【請求項５】
上記設定項目は、信号処理部が熱線センサ部の検知入力に応じて制御動作を行う時間帯の開始時刻及び終了時刻であることを特徴とする請求項１乃至請求項３の何れか１つに記載の遠隔監視制御システムの熱線センサ付自動スイッチ。
【請求項６】
上記負荷は照明器具であり、信号処理部は、予め設定された消灯時間帯以外では熱線センサ部が熱線を検知すると照明器具を所定の照度レベルで点灯させるとともに、熱線センサ部が熱線を検知しなくなってから所定の動作保持時間が経過した時点で照度レベルを低下させ、低下させた照度レベルで点灯させ続け、且つ、消灯時間帯においては熱線センサ部が熱線を検知すると照明器具を所定の照度レベルで点灯させるとともに、熱線センサ部が熱線を検知しなくなってから所定の動作保持時間が経過した時点で照明器具を消灯させるような制御を行っており、上記設定項目が、上記消灯時間帯の開始時刻及び終了時刻であることを特徴とする請求項１乃至請求項３の何れか１つに記載の遠隔監視制御システムの熱線センサ付自動スイッチ。
【請求項７】
上記設定項目が熱線センサ部の検知感度であることを特徴とする請求項１乃至請求項３の何れか１つに記載の遠隔監視制御システムの熱線センサ付自動スイッチ。
【請求項８】
上記設定項目がアドレスデータであることを特徴とする請求項１乃至請求項３の何れか１つに記載の遠隔監視制御システムの熱線センサ付自動スイッチ。
【発明の詳細な説明】
【０００１】
【発明の属する技術分野】
本発明は、遠隔監視制御システムの熱線センサ付自動スイッチに関するものである。
【０００２】
【従来の技術】
従来より、人体から放射される熱線を検知する熱線センサ部を備え熱線センサ部の検知信号に基づいて監視データを発生する熱線センサ付自動スイッチと、照明器具や換気扇のような負荷を制御する制御端末器と、熱線センサ付自動スイッチ及び制御端末器が一対の信号線を介して接続された伝送ユニットとで構成され、伝送ユニットから熱線センサ付自動スイッチ及び制御端末器を特定するためのアドレスデータを含む伝送信号を信号線に時分割多重伝送方式で送出することによって熱線センサ付自動スイッチ及び制御端末器を個別にアクセスし、熱線センサ付自動スイッチからの監視データを受信して負荷の動作制御を行う遠隔監視制御システムが提供されている。このようなシステムでは、熱線センサ付自動スイッチの熱線センサ部が人体から放射される熱線を検知すると監視データを発生し、この監視データに応じて照明器具を点灯させるとともに換気扇を駆動し、熱線を検知しなくなってから所定の動作保持時間が経過すると、照明器具を消灯させ、その後所定の動作遅延時間が経過した時点で換気扇を停止させていた。
【０００３】
また従来より、熱線センサ付自動スイッチの代わりに、周囲の温度を検知する温度センサ部を具備し温度センサ部の検知温度が基準温度よりも高くなるか下がるかすると監視データを発生する温度センサ付スイッチ装置を用い、温度センサ付スイッチ装置からの監視データに応じて冷暖房器具のような負荷の動作制御を行う遠隔監視制御システムも提供されている（例えば特許文献１参照）。
【０００４】
【特許文献１】
特開平９−６５４５４号公報（公報第４頁、及び、第６図）
【０００５】
【発明が解決しようとする課題】
上述した遠隔監視制御システムの熱線センサ付自動スイッチには、動作保持時間や動作遅延時間を設定するためのボリュームが設けられており、ボリュームのポジションで時間を設定していたため、所望の値に正確に設定することができなかった。また、動作保持時間や動作遅延時間を切替スイッチで設定する場合は、正確に時間を設定できるものの、予め決められた値にしか設定できないという問題があった。
【０００６】
一方、特許文献１に示される温度センサ付スイッチ装置は室内の壁面に埋込配設されるものであり、スイッチ本体の前面には基準温度の設定値を表示する液晶表示器が配置されている。液晶表示器はタッチスイッチ付きの液晶パネルからなり、通常時は基準温度の設定値を表示しているが、液晶表示器の画面を基準温度の入力画面、或いは、アドレスデータの入力画面に切り替えて、画面上に表示させた釦を操作させることで、基準温度やアドレスデータを入力できるようになっている。このものでは液晶表示器の表示を見ながら基準温度やアドレスデータを設定できるので、基準温度を所望の値に正確に設定できるが、液晶表示器は前面に露出しているので、悪戯や不用意な操作で液晶表示器の画面が入力画面に切り替わって、設定値が変更されてしまう可能性があった。
【０００７】
本発明は上記問題点に鑑みて為されたものであり、その目的とするところは、動作に関わる設定値を所望の値に正確に設定することができ、且つ、悪戯や不用意な操作で設定値が変更されるのを防止した熱線センサ付自動スイッチを提供することにある。
【０００８】
【課題を解決するための手段】
上記目的を達成するために、請求項１の発明では、それぞれ個別のアドレスデータが設定された複数台の端末器を信号線に接続し、信号線に接続された伝送ユニットからアドレスデータを含む伝送信号を信号線に時分割多重伝送方式で送出することによって各端末器を個別にアクセスし、伝送ユニットは、伝送信号に同期して設定した信号返信期間に何れかの端末器からの監視データを受信すると、監視データに基づいて制御データを作成し、監視データを発生した端末器とアドレスの対応関係が設定された端末器に対して制御データを上記伝送信号により伝送し、当該端末器では受信した制御データにより負荷の動作を制御する遠隔監視制御システムに用いられ、所定の検知エリア内の人体から放射される熱線を検知する熱線センサ部と、信号線に接続されて時分割多重伝送方式により伝送信号を授受する伝送通信部と、熱線センサ部の検知入力に基づいて負荷を制御する監視データを出力する信号処理部と、信号処理部の出力した監視データを伝送通信部から送信させる伝送制御部と、各部を収納するとともに熱線センサ部が前面に配置され、前面を露出させた状態で天井面に設けた取付孔に埋込配設されるスイッチ本体と、スイッチ本体の前面における熱線センサ部以外の部位を着脱自在に覆う化粧カバーとを備え、各部の動作に関わる設定項目の値を押操作に応じて増減させる設定値入力部、及び該設定値入力部を用いて調整される値を表示する表示部をスイッチ本体前面の化粧カバーで覆われる部位に配置したことを特徴とする。
【０００９】
請求項２の発明では、請求項１の発明において、上記信号線には上記設定項目の値を入力する入力手段を備えた設定用の端末器が接続され、上記伝送ユニットは、設定用の端末器が入力手段の入力操作に応じて発生した監視データを受信すると、受信した監視データに応じて上記設定項目の値を設定するための制御データを作成し、作成した制御データを伝送信号により伝送しており、上記伝送通信部が受信した伝送信号に含まれる制御データに応じて設定項目の値を設定する設定部を設けたことを特徴とする。
【００１０】
請求項３の発明では、請求項１の発明において、外部の設定器からワイヤレス信号で送信される設定値を受信するワイヤレス受信部と、ワイヤレス受信部で受信した設定項目の値を設定する設定部とを備えて成ることを特徴とする。
【００１１】
請求項４の発明では、請求項１乃至請求項３の何れか１つの発明において、信号処理部は、熱線センサ部が熱線を検知すると負荷を動作させるとともに、熱線センサ部が熱線を検知しなくなってから所定の動作保持時間が経過した時点で負荷を停止させるような制御を行っており、上記設定項目が動作保持時間であることを特徴とする。
【００１２】
請求項５の発明では、請求項１乃至請求項３の何れか１つの発明において、上記設定項目は、信号処理部が熱線センサ部の検知入力に応じて制御動作を行う時間帯の開始時刻及び終了時刻であることを特徴とする。
【００１３】
請求項６の発明では、請求項１乃至請求項３の何れか１つの発明において、上記負荷は照明器具であり、信号処理部は、予め設定された消灯時間帯以外では熱線センサ部が熱線を検知すると照明器具を所定の照度レベルで点灯させるとともに、熱線センサ部が熱線を検知しなくなってから所定の動作保持時間が経過した時点で照度レベルを低下させ、低下させた照度レベルで点灯させ続け、且つ、消灯時間帯においては熱線センサ部が熱線を検知すると照明器具を所定の照度レベルで点灯させるとともに、熱線センサ部が熱線を検知しなくなってから所定の動作保持時間が経過した時点で照明器具を消灯させるような制御を行っており、上記設定項目が、上記消灯時間帯の開始時刻及び終了時刻であることを特徴とする。
【００１４】
請求項７の発明では、請求項１乃至請求項３の何れか１つの発明において、上記設定項目が熱線センサ部の検知感度であることを特徴とする。
【００１５】
請求項８の発明では、請求項１乃至請求項３の何れか１つの発明において、上記設定項目がアドレスデータであることを特徴とする。
【００１６】
【発明の実施の形態】
（実施形態１）
本発明の実施形態１を図１乃至図１１に基づいて説明する。
【００１７】
先ず、本実施形態の熱線センサ付自動スイッチが用いられる遠隔監視制御システムについて説明する。
【００１８】
図４は全体のシステム構成図であり、それぞれ個別のアドレスデータが設定された端末器としての熱線センサ付自動スイッチ２、センサ入切用スイッチ３、及びリレー制御端末器４を２線式の信号線Ｌｓに接続するとともに、この信号線Ｌｓに伝送ユニット１を接続してある。尚、図４では図示を省略しているが信号線Ｌｓには複数台のリレー制御端末器４が接続されており、熱線センサ付自動スイッチ２により複数台の照明器具５や換気扇６のオン／オフを制御している。
【００１９】
伝送ユニット１は、アドレスデータを含む伝送信号を信号線Ｌｓに時分割多重伝送方式で送出することによって各端末器を個別にアクセスし、伝送信号に同期して設定した信号返信期間に何れかの端末器からの監視データを受信すると、監視データに基づいて制御データを作成し、監視データを発生した端末器とアドレスの対応関係が設定された端末器に対して制御データを伝送信号により伝送し、当該端末器では受信した制御データにより負荷の動作を制御するようになっている。
【００２０】
熱線センサ付自動スイッチ２は、所定の検知エリア内の人体から放射される熱線を検出することによって、検知エリア内の人の存否を検出する熱線センサ（図示せず）を備える。また熱線センサ付自動スイッチ２には、異なる検知エリア内の人体から放射される熱線を検出する熱線センサを具備した熱線センサ子器２’が接続されており、内蔵する熱線センサ及び熱線センサ子器２’の出力を監視し、それらの内の何れかが熱線を検出すると、割込信号を発生して伝送ユニット１に監視データを送出するようになっている。
【００２１】
センサ入切用スイッチ３は、熱線センサ付自動スイッチ２による照明器具５及び換気扇６の制御動作を入／切するためのスイッチＳＷ１と、熱線センサ付自動スイッチ２による制御動作の入状態及び切状態をそれぞれ表示する発光ダイオードのような表示灯ＬＤａ，ＬＤｂを備え、スイッチＳＷ１の押操作に応じて監視データを伝送ユニット１に伝送するようになっている。
【００２２】
リレー制御端末器４は、負荷である照明器具５及び換気扇６への電源供給を入／切するリレー（図示せず）を備え、受信した制御データに応じて対応するリレーをオン／オフすることで、照明器具５を点灯又は消灯させたり、換気扇６を駆動又は停止させる。なおリレーには一般にラッチング型のものが用いられ、リレー制御端末器４はリレーを動作させる際にリレーにパルス的に電源を供給する。
【００２３】
次に遠隔監視制御システムの動作を簡単に説明する。尚、簡単のために熱線センサ付自動スイッチ２及びセンサ入切用スイッチ３をまとめて監視用端末器と呼称する。
【００２４】
伝送ユニット１は、信号線Ｌｓに対して、図５（ａ）に示すフォーマットの伝送信号Ｖｓを送出する。すなわち、伝送信号Ｖｓは、信号送出開始を示す同期信号ＳＹ、伝送信号Ｖｓのモードを示すモードデータＭＤ、アクセスする端末器（監視用端末器２，３及びリレー制御端末器４）のアドレス（８ビット）を示すアドレスデータＡＤ、制御内容を示す制御データＣＤ、伝送誤りを検出するためのチェックサムデータＣＳ、端末器から返送信号（監視データ）を返送させるために設けられたタイムスロットである信号返送期間ＷＴよりなる双極性（±２４Ｖ）の時分割多重信号であり、パルス幅変調によってデータが伝送されるようになっている（図５（ｂ）参照）。
【００２５】
監視用端末器２，３及びリレー制御端末器４では、基本的には、信号線Ｌｓを介して受信した伝送信号ＶｓのアドレスデータＡＤと予め設定されている自己のアドレスデータとが一致したとき、その伝送信号Ｖｓの制御データＣＤを取り込むとともに、伝送信号Ｖｓの信号返送期間ＷＴに同期して監視データを電流モード信号（信号線Ｌｓ間を適当な低インピーダンスを介して短絡することにより送出される信号）で伝送ユニット１に返送する。
【００２６】
ここで、伝送ユニット１から所望の端末器２，３，４にデータを伝送する場合には、モードデータＭＤを制御モードとし、アドレスデータＡＤを所望の端末器２，３，４のアドレスとした伝送信号Ｖｓを信号線Ｌｓに送出すれば、アドレスデータＡＤの一致する端末器２，３，４が制御データＣＤを受け取り、信号返送期間ＷＴに監視データを返送する。伝送ユニット１では、送出した制御データＣＤと信号返送期間ＷＴに受信した監視データとをもとに制御データＣＤが所望の端末器２，３，４に伝送されたことを確認する。また、リレー制御端末器４は受け取った制御データＣＤに従ってリレーの動作を指示し、センサ入切用スイッチ３では受け取った制御データＣＤに従って表示灯３ｂを点灯又は消灯させるなどの動作を行う。
【００２７】
一方、伝送ユニット１は通常時にはモードデータＭＤをダミーモードとした伝送信号Ｖｓを一定時間間隔で送出しており（常時ポーリング）、監視用端末器２，３が監視入力（熱線センサの検知入力やスイッチの操作入力）に応じて伝送ユニット１に対し何らかの情報を伝送しようとするときには、ダミーモードの伝送信号Ｖｓの同期信号ＳＴに同期させて、図５（ｃ）のような割込信号Ｖｉを発生させる。
【００２８】
この時、監視用端末器２，３は割込フラグを設定して伝送ユニット１との以後の情報授受に備える。伝送ユニット１では割込信号Ｖｉを受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号Ｖｉを発生した監視用端末器２，３では、割込ポーリングモードの伝送信号ＶｓにおけるアドレスデータＡＤの上位４ビットが自己のアドレスの上位４ビットに一致するとき、信号返送期間ＷＴ中に自己のアドレスの下位の半数のビット（下位４ビット）を監視データとして伝送ユニット１へ返送する。このように、伝送ユニット１は割込信号Ｖｉを発生した監視用端末器２，３を１６個ずつまとめて探すので、比較的短い時間で監視用端末器２，３を発見することができる。
【００２９】
伝送ユニット１が割込信号Ｖｉを発生した監視用端末器２，３のアドレスを獲得すると、モードデータＭＤを監視モードとし、獲得したアドレスデータＡＤを持つ伝送信号Ｖｓを信号線Ｌｓに送出し、この伝送信号に対して監視用端末器２，３は伝送しようとする情報を信号返送期間ＷＴに返送する。最後に、伝送ユニット１は割込信号を発生した監視用端末器２，３に対して割込フラグのリセットを指示する信号を送出し、監視用端末器２，３の割込フラグを解除する。
【００３０】
以上のようにして、監視用端末器２，３から伝送ユニット１への情報伝送は、伝送ユニット１から監視用端末器２，３への４回の信号伝送（ダミーモード、割込ポーリングモード、監視モード、割込リセット）によって完了する。また、伝送ユニット１が所望のリレー制御端末器４の動作状態を知ろうとするときには、モードデータＭＤを監視データとし、アドレスデータＡＤを所望のリレー制御端末器４のアドレスとした伝送信号Ｖｓを送出するだけでよく、伝送信号Ｖｓの信号返送期間ＷＴに所望のリレー制御端末器４からの監視データを取得できる。
【００３１】
ここで、熱線センサ付自動スイッチ２の熱線センサ部が人体から放射される熱線を検知して検知信号を発生したり、センサ入切用スイッチ３のスイッチＳＷ１が操作されて操作信号が発生すると、熱線センサ付自動スイッチ２又はセンサ入切用スイッチ３は割込信号Ｖｉを発生し、上述の伝送手順を経た後に熱線センサ部の検知信号又はスイッチＳＷ１の操作信号に対応した監視データを伝送ユニット１に返送する。そして、伝送ユニット１が、監視用端末器２，３から受け取った監視データをもとに制御データＣＤを作成し、作成した制御データＣＤを対応する端末器に伝送すると、制御データＣＤを受信した端末器が所定の動作を行うのである。例えば熱線センサ付自動スイッチ２から熱線センサの検知入力に応じた監視データが返送されると、伝送ユニット１はこの監視データに基づいて作成した制御データをリレー制御端末器４に送信しており、リレー制御端末器４は制御データを受信すると、リレーを制御して照明器具５を点灯／消灯させたり、換気扇６をオン／オフさせたりするのである。またセンサ入切用スイッチ３からスイッチＳＷ１のオン／オフ操作に応じた監視データが返送されると、伝送ユニット１はこの監視データに基づいて作成した制御データを熱線センサ付自動スイッチ２に送信しており、熱線センサ付自動スイッチ２は制御データを受信すると、熱線センサの検知入力に基づいた負荷の制御動作をオン／オフするのである。また、熱線センサ付自動スイッチ２は、制御動作のオン／オフを示す監視データを伝送ユニット１に返信するようになっており、伝送ユニット１はこの監視データに基づいてセンサ入切用スイッチ３に付設している動作モニタ用の表示灯ＬＤ３，ＬＤ４を点灯／消灯させる制御データを伝送しており、この制御データを受け取ったセンサ入切用スイッチ３では、この制御データに基づいて対応する動作モニタ用の表示灯ＬＤａ，ＬＤｂを点灯又は消灯させることで、熱線センサ付自動スイッチ２による制御動作のオン／オフ状態を表示する。
【００３２】
以上説明したように、本システムでは伝送ユニット１に予め設定されたアドレスの対応関係を用いて、端末器間でデータを授受することによって、何れかの監視用端末器２，３の監視入力に応じて対応する端末器の動作を制御するのである。
【００３３】
次に、熱線センサ付自動スイッチ２の回路構成を図３に基づいて説明する。
【００３４】
熱線センサ付自動スイッチ２は、図３のブロック図に示すように、ＣＰＵ１０と、熱線センサ検出回路１１と、熱線センサ子器信号回路１２と、明るさ検出回路１３と、多重伝送信号送受信回路１４と、電源回路１５と、液晶表示回路１６と、操作入力回路１７と、不揮発性メモリ１８とで構成される。
【００３５】
熱線センサ検出回路１１は、人体から放射される熱線を検出する焦電素子のような熱線センサ部（図示せず）を具備し、熱線センサ部の出力を増幅してＣＰＵ１０に出力しており、ＣＰＵ１０では、熱線センサ検出回路１１の出力と、不揮発性メモリ１８に記憶された所定の閾値との高低を比較することによって、検知エリア内の人の存否を判定している。
【００３６】
熱線センサ子器信号回路１２には一対の端子Ｔ２を介して熱線センサ子器２’が接続されており、信号線Ｌｓを介して入力される伝送信号Ｖｓを全波整流し、さらに定電圧化することで、熱線センサ子器２’の動作電源を生成して、熱線センサ子器２’に給電するとともに、端子Ｔ２，Ｔ２間の電圧を監視することで、熱線センサ子器２’の出力を監視している。すなわち、熱線センサ子器２’は、人体から放射される熱線を検出する焦電素子のような熱線センサ（図示せず）を具備し、熱線センサが人体からの熱線を検出すると、端子Ｔ２，Ｔ２間の電圧レベルを非検出時に比べて低下させることで、熱線を検出した旨を熱線センサ子器信号回路１２に報知する。而して、熱線センサ子器信号回路１２は、端子Ｔ２，Ｔ２間の電圧から熱線センサ子器２’が熱線を検知したと判断すると、熱線センサ検出回路１１を介してＣＰＵ１０に検知信号を出力する。
【００３７】
明るさ検出回路１３は、周囲の明るさを検出するＣｄＳ、フォトダイオード、フォトトランジスタのような明るさセンサ（図示せず）を具備し、明るさセンサの出力を増幅してＣＰＵ１０に出力しており、ＣＰＵ１０では、明るさ検出回路１３の出力と、不揮発性メモリ１８に記憶された所定の明るさレベル（設定レベル）との明暗を比較する。
【００３８】
伝送通信部たる多重伝送信号送受信回路１４は、一対の端子Ｔ１，Ｔ１に接続された信号線Ｌｓを介して、伝送ユニット１との間で多重伝送方式により伝送信号の送受信を行うものであり、信号線Ｌｓを介して入力された伝送信号を信号変換してＣＰＵ１０に出力し、またＣＰＵ１０から出力された信号を伝送信号に変換して信号線Ｌｓに送出する。
【００３９】
電源回路１５は、信号線Ｌｓを介して入力される伝送信号Ｖｓを全波整流器（図示せず）で全波整流し、さらに定電圧回路（図示せず）で定電圧化することによって、内部回路の電源を得ている。
【００４０】
操作入力回路１７は、本スイッチの動作に関わる各種の設定項目（例えばアドレスデータなど）の値を入力したり、設定値の確認を行うためのものである。
【００４１】
液晶表示回路１６は、操作入力回路１７を用いて入力される設定項目やその値を表示部たる液晶表示部１６ａに表示させる。
【００４２】
不揮発性メモリ１８は例えばＥＥＰＲＯＭからなり、操作入力回路１７によって入力された設定項目（例えばアドレスデータや動作保持時間など）の値を記憶する。
【００４３】
またＣＰＵ１０では、多重伝送信号送受信回路１４を介して受信した伝送信号に含まれるアドレスデータが不揮発性メモリ１８に格納されたアドレスデータに一致すると、伝送信号の制御データを受け取り、制御データに応じた動作をする。また、伝送信号を受信したことを多重伝送信号送受信回路１４を通して端子Ｔ１，Ｔ１から信号線Ｌｓに送出する。
【００４４】
ここで、熱線センサ付自動スイッチ２の動作を図６に基づいて説明する。センサ入切用スイッチ３のスイッチＳＷ１を用いて熱線センサ付自動スイッチ２の制御動作をオフさせる操作を行うと、センサ入切用スイッチ３は割込信号を送出し、上述の伝送処理を経た後に熱線センサ付自動スイッチ２に設定された入切アドレスを返送信号として伝送ユニット１に返送する。この時、伝送ユニット１はセンサ入切用スイッチ３から受信した返送信号に基づいて熱線センサ付自動スイッチ２に制御動作をオフさせる制御データを送出し、この制御データを受信した熱線センサ付自動スイッチ２が制御動作をオフする。
【００４５】
一方、センサ入切用スイッチ３のスイッチＳＷ１を用いて熱線センサ付自動スイッチ２の制御動作をオンさせる操作を行うと、上述と同様の動作を行って、熱線センサ付自動スイッチ２の制御動作がオン状態に設定される。制御動作がオン状態に設定されている場合、熱線センサ付自動スイッチ２は、熱線センサ検出回路１１、熱線センサ子器信号回路１２の出力や明るさ検出回路１３の出力に基づいて負荷を制御する。ＣＰＵ１０は、明るさセンサの検出した明るさが所定の明るさレベルよりも明るい状態では、熱線センサ検出回路１１からの入力が閾値を超えるか、又は、熱線センサ子器信号回路１２から検知入力があっても制御動作は行わない。一方、ＣＰＵ１０は、明るさセンサの検出した明るさが所定の明るさレベルよりも暗い状態で、熱線センサ検出回路１１からの入力が閾値を超えるか、又は、熱線センサ子器信号回路１２から熱線センサ検出回路１１を介して検知入力があると、多重伝送信号送受信回路１４から割込信号を送出させ、上述の伝送手順を経た後にＯＮアドレスのデータ（例えばパターン制御のパターンＰ１）を返送信号として伝送ユニット１に返送させる。この時、伝送ユニット１は熱線センサ付自動スイッチ２から受信した返送信号に基づいて対応するリレー制御端末器４に制御データを送出し、複数台の照明器具５をパターンＰ１で全点灯させる。その後、検知入力が無くなってから所定の動作保持時間が経過すると、ＣＰＵ１０は、多重伝送信号送受信回路１４から割込信号を送出させ、上述の伝送手順を経た後にＯＦＦアドレスのデータ（Ｐ２）を返送信号として伝送ユニット１に返送させる。この時、伝送ユニット１は熱線センサ付自動スイッチ２から受信した返送信号に基づいて対応するリレー制御端末器４に制御データを送出し、パターンＰ２で設定した照明範囲の照明器具５を間引き点灯させる（図６（ｃ）参照）。
【００４６】
なお換気扇などの負荷を遅延動作させる場合には、ＣＰＵ１０は、検知入力があった時点で多重伝送信号送受信回路１４から割込信号を送出させ、上述の伝送手順を経た後に上記負荷を制御するリレー制御端末器４のアドレス（遅延アドレスと言う。）を返送信号として伝送ユニット１に返送させる。この時、伝送ユニット１は熱線センサ付自動スイッチ２から受信した返送信号に基づいて対応するリレー制御端末器４に負荷をＯＮさせる制御データを送出し、負荷を動作（ＯＮ）させる。ＣＰＵ１０は、検知入力が無くなってから所定の動作保持時間が経過し、その後さらに所定の動作遅延時間が経過した時点で多重伝送信号送受信回路１４から割込信号を送出させ、上述の伝送手順を経た後に遅延アドレスのデータを返送信号として伝送ユニット１に返送させる。この時、伝送ユニット１は熱線センサ付自動スイッチ２から受信した返送信号に基づいて対応するリレー制御端末器４に負荷をＯＦＦさせる制御データを送出し、対応する負荷を停止（ＯＦＦ）させる（図６（ｄ）参照）。ここに、熱線センサ部の検知入力に基づいて負荷を制御する監視データを出力する信号処理部と、信号処理部の出力した監視データを伝送通信部から送信させる伝送制御部とはＣＰＵ１０の演算機能により実現される。
【００４７】
次に、熱線センサ付自動スイッチ２の構造を図１及び図２に基づいて説明する。熱線センサ付自動スイッチ２は天井に設けた取付孔に埋め込んだ状態で取付可能とするべく、窓孔２２ａが中央に形成され１対の保持溝２２ｂが両側にそれぞれ形成されている円盤状のフランジ部２２と、この上面中央に一体成形され、係合孔２３ｂを有する係合突片２３ａが上縁に４個延設されている筒部２３とによりなるボディ２１を備えているほか、ボディ２１の筒部２３に被着されるカバー２４と、ボディ２１の前面（図１（ｂ）中の下面）に被着されるプレート２５と、一対の挟み金具２６と、回転体２７と、支持部材２８と、プリント基板２９と、平板状の端子カバー３０とを備えている。
【００４８】
挟み金具２６は、一対の保持溝２２ｂにそれぞれ係合する一対の係合突片３１ａが下端に形成され一方に開口する縦長箱状の支柱３１と、この上壁および底壁に上下端がそれぞれ挿通されて支柱３１に回動自在に保持される引締めねじ３２と、これに螺合する挟み片３３とにより構成されている。挟み片３３は、引締めねじ３２を回すことで、支柱３１の側壁に設けた切欠部３１ｂから移動して支柱３１の開口面に沿って下降するようになっている。従って、各挟み金具２６の一対の係合突片３１ａをフランジ部２２の一対の保持溝２２ｂにそれぞれ係合させて、各挟み金具２６をボディ２１に着脱可能に取り付け、次いで各挟み金具２６および筒部２３を天井ボードに形成された取付孔（図示しない）に挿通した後、引締めねじを回して挟み片３３を下降させれば、上記取付孔の周部近傍のボード上下面にそれぞれ挟み片３３の先端部下面およびフランジ部２２の上面が当接（圧接）して、ボディ２１が天井に取り付けられることになる。
【００４９】
プレート２５は、窓孔２２ａに対応する丸孔２５ａを中央部に有し、フランジ部２２に係合して保持され、化粧カバーとして機能するものである。
【００５０】
回転体２７は、軸部３４ａが両端に突設されている半球状の回転枠３４と、この前面側（図では下側）に結合して窓部となるレンズ（例えばフレネルレンズよりなる多焦点レンズ）３５と、熱線センサ部及び明るさセンサが下面に実装され回転枠３４及びレンズ３５の内部に収納される検出系プリント基板３６と、回転枠３４およびレンズ３５の結合部分に取り付けられ回転枠３４の開口縁部と互いに嵌合するリング状の保持枠３７とにより構成されている。
【００５１】
支持部材２８は、押え金具３８と、これにばね３９を介して取り付けられる支持棒４０と、２個のねじ４１とにより構成され、回転体２７をボディ２１に回動自在に固定するためのものである。すなわち、回転枠３４の各軸部３４ａを窓孔２２ａの周部に形成された下端側から上方に伸びるガイド溝２２ｃに挿入し、次いで２個のねじ４１を用いて、ばね３９を介して支持棒４０が取り付けられた押え金具３８をボディ２１にねじ止めすれば、回転体２７の上部が支持棒４０により弾性的に押接され、回転体２７がボディ２１に回動自在に固定されることになる。
【００５２】
プリント基板２９には上述の回路が形成されており、複数（図では３本）のリード線Ｗ１を介して検出系プリント基板３６と電気的に接続され、２個のねじ４２によってボディ２１にねじ止めされる。
【００５３】
カバー２４は、筒部２３の開口部を閉塞する箱状に形成されており、この側壁部には各係合突片２３ａの係合孔２３ｂと係合する係合突部２４ａが形成されている一方、上面には信号線Ｌｓが接続される一対の端子Ｔ１および熱線センサ子器２’を接続するための一対の端子Ｔ２が設けられている。これらの端子Ｔ１，Ｔ２はリード線Ｗ２を介してプリント基板２９に接続されている。
【００５４】
なお、回動自在にボディ２１に固定された回転体２７上にプリント基板２９が位置するようにしてこのプリント基板２９をボディ２１にねじ止めし、各係合突部２４ａを対応する係合突片２３ａの係合孔２３ｂと係合させれば、筒部２３の開口部がカバー２４によって閉塞されて、ボディ２１およびカバー２４によってプリント基板２９が収納されることになる。ここに、ボディ２１とカバー２４とで、前面を露出させた状態で天井面に設けた取付孔に埋込配設されるスイッチ本体が構成される。
【００５５】
また、熱線センサ部は、検出系プリント基板３６に実装されることで、前方に多焦点のレンズ３５が位置することになって視野に感度むらが生じる構成になっており、熱線センサ部の視野内で人が微小移動すれば、熱線センサ部の受光面に入射する熱線量が変化し易くなって、人の微小移動の検出能力が向上するとともに周囲における人の存否の判定が可能となる。
【００５６】
また、プリント基板２９の下面（フランジ部２２との対向面）には、上述の液晶表示回路１６により表示が制御される液晶表示部１６ａと、タクトスイッチのような４個のスイッチが実装されており、各スイッチの操作釦１７ａ〜１７ｄと液晶表示部１６ａとがフランジ部２２に貫設された窓孔２２ｄ，２２ｅを通してボディ２１の前面側に露出している。
【００５７】
上述のように本実施形態では、操作入力部たる操作釦１７ａ〜１７ｄの押操作に応じて所望の設定項目の値を増減させる操作入力回路１７と、操作入力回路１７により入力される設定項目やその入力値を液晶表示部１６ａに表示させる液晶表示回路１６とを備えているので、液晶表示部１６ａの表示を見ながら操作釦１７ａ〜１７ｄを操作して各種の設定項目の値を設定できるようになっている。操作釦１７ａは決定操作を行うためのボタン、操作釦１７ｂはキャンセル操作を行うためのＥＳＣボタンであり、操作釦１７ｃ，１７ｄは設定項目の選択時には設定項目の切り替えボタンとして機能し、設定項目の値を入力する際には操作釦１７ｃが設定項目の値を増加させるボタン、操作釦１７ｄが設定項目の値を減少させる釦として機能する。そして、ボディ２１の前面（下面）には各操作釦１７ａ〜１７ｄの近傍の部位に各釦の機能を示す文字（「ＥＮＴ」、「ＥＳＣ」）やシンボル（「▲」、「▼」）が表示されている。
【００５８】
本実施形態では操作釦１７ａ〜１７ｄを用いて設定される設定項目として、熱線センサ部の検知時に制御するアドレス（ＯＮアドレス）と、検知が無くなってから所定の動作保持時間が経過した後に制御するアドレス（ＯＦＦアドレス）と、熱線センサ部の検知入力に応じた制御動作を入／切する際に指定するアドレス（入切アドレス）と、遅延制御を行う端末器のアドレス（遅延アドレス）と、検知後に動作状態を保持する時間（動作保持時間）と、動作保持時間の経過した時点から動作をさらに遅延させる時間（動作遅延時間）と、熱線センサ部の検知入力を有効又は無効にする際の基準となる明るさレベルと、を調整可能としている。尚、設定項目として自己のアドレスデータを設け、アドレスデータの値をスイッチで設定できるようにしても良く、別途のアドレス設定ツールが不要になる。
【００５９】
図７（ａ）〜（ｇ）は液晶表示部１６ａの表示例を示し、画面の上側には設定項目の内容が、画面の下側にはその値がそれぞれ表示されており、操作釦１７ｃ，１７ｄを押操作することで表示項目の表示が所定の順番で切り替えられて、各設定項目の設定値を確認することができる。尚、図７（ａ）はＯＮアドレスの表示画面、図７（ｂ）はＯＦＦアドレスの表示画面、図７（ｃ）は入切アドレスの表示画面、図７（ｄ）は遅延アドレスの表示画面、図７（ｅ）は動作保持時間の表示画面、図７（ｆ）は動作遅延時間の表示画面、図７（ｇ）は明るさレベルの表示画面である。
【００６０】
ここで、ＯＦＦアドレスに「Ｐ５」を設定する手順を図８（ａ）〜（ｆ）に基づいて説明する。通常時は液晶表示部１６ａの電源供給が停止されており、例えば何れかの操作釦１７ａ〜１７ｄを押操作することで液晶表示部１６ａへの電源供給が開始されて、図８（ａ）に示すような初期画面が表示される。初期状態では液晶表示部１６ａにＯＮアドレスの設定値が表示されており、この状態で操作釦１７ｃ又は１７ｄを押操作すると、液晶表示部１６ａに表示される設定項目が切り替えられる。図８（ｂ）に示すように所望の設定項目（この場合はＯＦＦアドレス）が表示されたところで、操作釦１７ａを押操作すると調整する設定項目が決定されて、設定値の調整作業が開始される。ＯＦＦアドレスは、パターン制御、グループ制御、個別制御、調光制御といった制御内容の種別とチャンネル番号とで構成され、まず制御内容の種別を入力する入力画面に切り替わる（図８（ｃ）参照）。図８（ｃ）の画面では制御種別がパターン制御（Ｐ）となっており、この画面で操作釦１７ｃを１回押すと制御種別がグループ制御（Ｇ）に、もう一回押すと個別制御に、さらにもう１回押すと調光制御に切り替わるので、所望の制御種別に切り替わったところで、操作釦１７ａを押すと、制御種別が決定され、番号を入力する画面に切り替わる（図８（ｄ）参照）。図８（ｄ）の画面では番号が「２」となっており、操作釦１７ｃを１回押す毎に番号が１つずつ大きくなり、操作釦１７ｄを１回押す毎に番号が１つずつ小さくなる。そして、図８（ｅ）に示すように番号が所望の値になったところで、操作釦１７ａを押操作して決定操作を行うとＯＦＦアドレスの値が確定し、設定値を表示する画面（図８（ｆ）参照）に切り替わる。調整途中で操作釦１７ｂを押してキャンセル操作を行うと、設定内容は変更されずに、その項目の初期画面に戻る。
【００６１】
次に、動作保持時間を「１０ｓｅｃ」に設定する手順を図９（ａ）〜（ｇ）に基づいて説明する。図９（ａ）に示すように初期状態では液晶表示部１６ａにＯＮアドレスの設定値が表示されており、この状態で操作釦１７ｃ又は１７ｄを押操作して決定操作を行うと、液晶表示部１６ａに表示される設定項目が切り替えられる。図９（ｂ）に示すように所望の設定項目（この場合は動作保持時間）が表示されたところで、操作釦１７ａを押操作すると調整する設定項目が決定され、動作保持時間の調整作業が開始される。まず動作保持時間の値を入力する入力画面に切り替わり（図９（ｃ）参照）、この画面で操作釦１７ｃを１回押す毎に動作保持時間の値が１つずつ大きくなり、操作釦１７ｄを１回押す毎に動作保持時間の値が１つずつ小さくなる。図９（ｄ）に示すように動作保持時間の値が所望の値「１０」に切り替わったところで、操作釦１７ａを押すと動作保持時間の値が決定され、時間の単位を入力する画面に切り替わる（図９（ｅ）参照）。図９（ｅ）の画面では単位が「ｍｉｎ」（分）となっており、操作釦１７ｃを１回押すと単位が「ｈｏｕｒ」（時）に、もう一回押すと「ｓｅｃ」（秒）に切り替わるので、所望の単位に切り替わったところで、操作釦１７ａを押操作して決定操作を行うと、動作保持時間の設定値が確定し、設定値を表示する画面（図９（ｇ）参照）に切り替わる。調整途中で操作釦１７ｂを押操作してキャンセル操作を行うと、設定内容は変更されずに、その項目の初期画面に戻る。尚、ＯＦＦアドレス及び動作保持時間以外の入力方法も上述と同様であるので、その説明は省略する。
【００６２】
このように、操作釦１７ａ〜１７ｃの入力操作に応じて入力する設定項目が切り替えられたり、その値が入力されると、ＣＰＵ１０が液晶表示回路１６を制御して、液晶表示部１６ａに設定項目とその値を表示させているので、液晶表示部１６ａの表示を見ながら設定作業を行うことができ、所望の設定項目の値を正確に設定することができる。
【００６３】
また従来は、熱線センサ付自動スイッチにアドレスデータを設定するために、アドレスデータを赤外線のようなワイヤレス信号で送信するワイヤレス設定器を用いており、ワイヤレス設定器の赤外線発光部を熱線センサ付自動スイッチの赤外線受光部に近づけて赤外線通信を行うことによって、熱線センサ付自動スイッチにアドレスデータを設定していたが、赤外線発光部と赤外線受光部の位置がずれると、赤外線通信に失敗してしまい、何度も設定し直さねばならず設定作業がやりにくいという問題があった。それに対して、本実施形態ではスイッチ本体に設けた操作釦１７ａ〜１７ｄを用いて設定作業を行っているので、設定作業を確実に行うことができ、またワイヤレス設定器を別途用意する必要もない。
【００６４】
ところで、本実施形態では図６（ｃ）に示すように明るさセンサの検出した周囲の明るさが所定の明るさレベルより明るくなった後も照明器具５を間引き点灯させているが、図１０（ａ）〜（ｄ）に示すように周囲の明るさが所定の明るさレベルよりも明るくなった時点で全ての照明器具５を消灯させるようにしても良く、周囲が明るくなった時に不要な照明を消すことができる。この場合は、図１１に示すように設定項目として上記の項目に加え、明るさレベルが設定レベルよりも明るくなった時に制御するアドレス（停止アドレス）を設けており、この停止アドレスに全ての照明器具５を消灯させるパターンＰ３を設定すれば良い。
【００６５】
この場合の動作を図１０に基づいて簡単に説明する。センサ入切用スイッチ３のスイッチＳＷ１を用いて熱線センサ付自動スイッチ２の制御動作がオン状態に設定されている場合、熱線センサ付自動スイッチ２は熱線センサ検出回路１１、熱線センサ子器信号回路１２の出力と明るさ検出回路１３の出力とに基づいて負荷を制御している。ＣＰＵ１０は、明るさセンサの検出した明るさが所定の明るさレベルよりも暗い状態で、熱線センサ検出回路１１からの入力が閾値を超えるか、又は、熱線センサ子器信号回路１２から熱線センサ検出回路１１を介して検知入力があると、多重伝送信号送受信回路１４から割込信号を送出させ、上述の伝送手順を経た後にＯＮアドレスのデータ（Ｐ１）を返送信号として伝送ユニット１に返送させる。この時、伝送ユニット１は熱線センサ付自動スイッチ２から受信した返送信号に基づいて対応するリレー制御端末器４に制御データを送出し、複数台の照明器具５をパターンＰ１で全点灯させる。その後、検知入力が無くなってから所定の動作保持時間が経過すると、ＣＰＵ１０は、多重伝送信号送受信回路１４から割込信号を送出させ、上述の伝送手順を経た後にＯＦＦアドレスのデータ（Ｐ２）を返送信号として伝送ユニット１に返送させる。この時、伝送ユニット１は熱線センサ付自動スイッチ２から受信した返送信号に基づいて対応するリレー制御端末器４に制御データを送出し、パターンＰ２で設定した照明範囲の照明器具５を間引き点灯させる。また、明るさセンサの検出した明るさが所定の明るさレベルよりも明るくなると、ＣＰＵ１０は多重伝送信号送受信回路１４から割込信号を送出させ、上述の伝送手順を経た後に停止アドレスのデータ（Ｐ３）を返送信号として伝送ユニット１に返送させ、この監視データを受信した伝送ユニット１は対応するリレー制御端末器４に制御データを送出し、パターンＰ３で設定した全ての照明器具５を消灯させている（図１０（ｃ）参照）。
【００６６】
尚、本実施形態では検知入力から所定の動作保持時間が経過した時点で全点灯から間引き点灯に切り替えて、全体の照度レベルを低下させているが、動作保持時間が経過した時点で全点灯から調光点灯に切り替えて、各照明器具の照度レベルを低下させるようにしても良い。
【００６７】
（実施形態２）
本発明の実施形態２を図１２乃至図１６に基づいて説明する。
【００６８】
実施形態１の熱線センサ付自動スイッチでは、ＣＰＵ１０が明るさ検出回路１３により検出された周囲の照度と所定の明るさレベル（設定レベル）との明暗を比較しており、周囲の照度が明るさレベルよりも暗い場合のみ熱線センサ検出回路１１、熱線センサ子器信号回路１２の出力を有効としているのに対して、本実施形態では現在の時刻をカウントするタイマ回路１９を設けており、タイマ回路１９のカウントした現在時刻が不揮発性メモリ１８に記憶された開始時刻と終了時刻の間であれば熱線センサ検出回路１１又は熱線センサ子器信号回路１２の出力に応じて制御動作を行うようになっている。尚、タイマ回路１９以外は実施形態１と同様であるので、その構成及び動作については図示及び説明を省略する。
【００６９】
この熱線センサ付自動スイッチ２の動作を図１３に基づいて説明する。センサ入切用スイッチ３のスイッチＳＷ１を用いて熱線センサ付自動スイッチ２の制御動作がオフ状態に設定されている場合、熱線センサ付自動スイッチ２は負荷の制御動作を行わない。
【００７０】
一方、センサ入切用スイッチ３のスイッチＳＷ１を用いて熱線センサ付自動スイッチ２の制御動作がオン状態に設定されている場合、熱線センサ付自動スイッチ２は、熱線センサ検出回路１１及び熱線センサ子器信号回路１２の出力とタイマ回路１９によりカウントされた現在時刻とに基づいて負荷を制御する。ＣＰＵ１０は、タイマ回路１９のカウントした現在時刻が開始時刻以前又は終了時刻以後であれば、熱線センサ検出回路１１からの入力が閾値を超えるか、又は、熱線センサ子器信号回路１２から検知入力があっても制御動作は行わない。一方、タイマ回路１９のカウントした現在時刻が開始時刻と終了時刻の間であれば、ＣＰＵ１０は、熱線センサ検出回路１１からの入力が閾値を超えるか、又は、熱線センサ子器信号回路１２から検知入力があると、多重伝送信号送受信回路１４から割込信号を送出させ、上述の伝送手順を経た後にＯＮアドレスのデータ（Ｐ１）を返送信号として伝送ユニット１に返送させる。この時、伝送ユニット１は熱線センサ付自動スイッチ２から受信した返送信号に基づいて対応するリレー制御端末器４に制御データを送出し、複数台の照明器具５をパターンＰ１で全点灯させる。その後、検知入力が無くなってから所定の動作保持時間が経過すると、ＣＰＵ１０は、多重伝送信号送受信回路１４から割込信号を送出させ、上述の伝送手順を経た後にＯＦＦアドレスのデータ（Ｐ２）を返送信号として伝送ユニット１に返送させる。この時、伝送ユニット１は熱線センサ付自動スイッチ２から受信した返送信号に基づいて対応するリレー制御端末器４に制御データを送出し、パターンＰ２で設定した照明範囲の照明器具５を間引き点灯させる（図１３（ｃ）参照）。尚、換気扇などの負荷を遅延動作させる場合の動作は実施形態１と同様であるので、その説明は省略する。
【００７１】
実施形態１のように周囲照度が基準となる明るさレベルよりも暗い場合に熱線センサ検出回路１１又は熱線センサ子器信号回路１２からの検知入力に応じた制御動作を行うようにすると、熱線センサ部の検知エリアを頻繁に人が通るようなケースでは、照明器具５をオン／オフする回数が増え、その結果リレーや照明器具５の寿命が短くなるという問題があった。そこで、本実施形態では予め設定した時間帯において熱線センサ検出回路１１及び熱線センサ子器信号回路１２の出力に基づいて制御動作を行うようにしており、検知エリアを頻繁に人が通る時間帯は熱線センサ部による制御動作を停止して照明器具５を強制的に点灯させるようにすれば、照明器具５がオン／オフする回数を減らして、リレーや照明器具５の寿命を伸ばすことができる。
【００７２】
ここで、本実施形態においても実施形態１と同様に動作に関わる設定項目の値を調整することができ、設定項目としてＯＮアドレスと、ＯＦＦアドレスと、入切アドレスと、遅延アドレスと、動作保持時間と、動作遅延時間と、熱線センサの検知入力に応じた制御動作を行う時間帯の開始時刻（以下、動作時刻と言う。
）及び終了時刻（以下、停止時刻と言う。）と、現在時刻と、を調整可能としている。図１４（ａ）〜（ｉ）は液晶表示部１６ａの表示例を示し、画面の上側には設定項目の内容が、画面の下側にはその値がそれぞれ表示されており、操作釦１７ｃ，１７ｄを押操作することで表示項目の表示が所定の順番で切り替えられて、各設定項目の設定値を確認することができる。尚、図１４（ａ）はＯＮアドレスの表示画面、図１４（ｂ）はＯＦＦアドレスの表示画面、図１４（ｃ）は入切アドレスの表示画面、図１４（ｄ）は遅延アドレスの表示画面、図１４（ｅ）は動作保持時間の表示画面、図１４（ｆ）は動作遅延時間の表示画面、図１４（ｇ）は動作時刻の表示画面、図１４（ｈ）は停止時刻の表示画面、図１４（ｉ）は現在時刻の表示画面である。各設定項目の値を設定する手順は実施形態１と同様であるので、その説明は省略する。
【００７３】
ところで、本実施形態では図１３（ｃ）に示すように検知入力に応じて照明器具５を間引き点灯させた場合は停止時刻を過ぎても照明器具５を間引き点灯させているが、図１５（ａ）〜（ｄ）に示すように上記停止時刻がくると全ての照明器具５を消灯させるようにしても良く、不要な照明を消すことができる。この場合は、図１６に示すように設定項目として上記の項目に加え、停止時刻がきたときに制御するアドレス（停止アドレス）を設けており、この停止アドレスに全ての照明器具５を消灯させるパターンＰ３を設定すれば良い。
【００７４】
この場合の動作を図１５に基づいて簡単に説明する。センサ入切用スイッチ３のスイッチＳＷ１を用いて熱線センサ付自動スイッチ２の制御動作がオン状態に設定されている場合、熱線センサ付自動スイッチ２は熱線センサ検出回路１１、熱線センサ子器信号回路１２、及びタイマ回路１９の出力に基づいて負荷を制御している。ＣＰＵ１０は、タイマ回路１９のカウントした現在時刻が開始時刻と終了時刻の間であれば、熱線センサ検出回路１１の出力が閾値を超えるか、熱線センサ子器信号回路１２から検知入力があると、多重伝送信号送受信回路１４から割込信号を送出させ、上述の伝送手順を経た後にＯＮアドレスのデータ（Ｐ１）を返送信号として伝送ユニット１に返送させる。この時、伝送ユニット１は熱線センサ付自動スイッチ２から受信した返送信号に基づいて対応するリレー制御端末器４に制御データを送出し、複数台の照明器具５をパターンＰ１で全点灯させる。その後、検知入力が無くなってから所定の動作保持時間が経過すると、ＣＰＵ１０は、多重伝送信号送受信回路１４から割込信号を送出させ、上述の伝送手順を経た後にＯＦＦアドレスのデータ（Ｐ２）を返送信号として伝送ユニット１に返送させる。この時、伝送ユニット１は熱線センサ付自動スイッチ２から受信した返送信号に基づいて対応するリレー制御端末器４に制御データを送出し、パターンＰ２で設定した照明範囲の照明器具５を間引き点灯させる。また、タイマ回路１９のカウントした現在時刻が停止時刻になると、ＣＰＵ１０は多重伝送信号送受信回路１４から割込信号を送出させ、上述の伝送手順を経た後に停止アドレスのデータ（Ｐ３）を返送信号として伝送ユニット１に返送させ、この監視データを受信した伝送ユニット１は対応するリレー制御端末器４に制御データを送出し、パターンＰ３で設定した全ての照明器具５を消灯させている（図１５（ｃ）参照）。
【００７５】
尚、本実施形態では検知入力から所定の動作保持時間が経過した時点で全点灯から間引き点灯に切り替えて、全体の照度レベルを低下させているが、動作保持時間が経過した時点で全点灯から調光点灯に切り替えて、各照明器具の照度レベルを低下させるようにしても良い。
【００７６】
（実施形態３）
本発明の実施形態３を図１７乃至図１９に基づいて説明する。
【００７７】
図１７は本実施形態のブロック図であり、本実施形態では実施形態１の熱線センサ付自動スイッチにおいて現在の時刻をカウントするタイマ回路１９を設けている。実施形態１では検知入力があると複数の照明器具５を全点灯させるとともに、検知入力時から所定の動作保持時間が経過した時点で所定の照明範囲の照明器具５を間引き点灯したり、照明器具５を調光点灯させているのに対して、本実施形態では、周囲の明るさが設定レベルよりも暗くなってから不揮発性メモリ１８に記憶された消灯時刻がくるまでは、検知入力があると照明器具５を全点灯させ、検知入力から動作保持時間が経過した時点で間引き点灯や調光点灯を行っており、その後不揮発性メモリ１８に記憶された消灯時刻（例えば２３：００）が来ると、検知入力から動作保持時間が経過した時点で照明器具５を消灯させ、その後さらに、不揮発性メモリ１８に記憶された復旧時刻（例えば０６：００）が来ると、検知入力から動作保持時間が経過した時点で間引き点灯や調光点灯を行うようにしている。尚、タイマ回路１９以外は実施形態１と同様であるので、その構成及び動作については図示及び説明を省略する。
【００７８】
この熱線センサ付自動スイッチ２の動作を図１８に基づいて説明する。センサ入切用スイッチ３のスイッチＳＷ１を用いて熱線センサ付自動スイッチ２の制御動作がオフ状態に設定されている場合、熱線センサ付自動スイッチ２は負荷の制御動作を行わない。
【００７９】
一方、センサ入切用スイッチ３のスイッチＳＷ１を用いて熱線センサ付自動スイッチ２の制御動作がオン状態に設定されている場合、熱線センサ付自動スイッチ２は熱線センサ検出回路１１、熱線センサ子器信号回路１２、明るさセンサ検出回路１３、及びタイマ回路１９の出力に基づいて負荷を制御する。ＣＰＵ１０は、明るさセンサの検出した明るさが所定の明るさレベルよりも明るい状態では、熱線センサ検出回路１１又は熱線センサ子器信号回路１２から検知入力があっても制御動作は行わない。一方、ＣＰＵ１０は、明るさセンサの検出した明るさが所定の明るさレベルよりも暗い状態で、熱線センサ検出回路１１の出力が閾値を超えるか又は熱線センサ子器信号回路１２から検知入力があると、多重伝送信号送受信回路１４から割込信号を送出させ、上述の伝送手順を経た後にＯＮアドレスのデータ（Ｐ１）を返送信号として伝送ユニット１に返送させる。この時、伝送ユニット１は熱線センサ付自動スイッチ２から受信した返送信号に基づいて対応するリレー制御端末器４に制御データを送出し、複数台の照明器具５をパターンＰ１で全点灯させる。
【００８０】
その後、検知入力が無くなってから所定の動作保持時間が経過すると、ＣＰＵ１０は、多重伝送信号送受信回路１４から割込信号を送出させ、上述の伝送手順を経た後にＯＦＦアドレスのデータ（Ｐ２）を返送信号として伝送ユニット１に返送させる。この時、伝送ユニット１は熱線センサ付自動スイッチ２から受信した返送信号に基づいて対応するリレー制御端末器４に制御データを送出し、パターンＰ２で設定した照明範囲の照明器具５を間引き点灯させる。
【００８１】
次いでタイマ回路１９のカウントした現在時刻が消灯時刻（例えば２３：００）になると、ＣＰＵ１０は、多重伝送信号送受信回路１４から割込信号を送出させ、上述の伝送手順を経た後に消灯アドレスのデータ（Ｐ３）を返送信号として伝送ユニット１に返送させる。この時、伝送ユニット１は熱線センサ付自動スイッチ２から受信した返送信号に基づいて対応するリレー制御端末器４に制御データを送出し、パターンＰ３で設定した全ての照明器具５を消灯させる（図１８（ｄ）参照）。
【００８２】
また、消灯時刻を過ぎてから復旧時刻（例えば０６：００）がくるまでの間に熱線センサ検出回路１１から検知入力があると、ＣＰＵ１０は、多重伝送信号送受信回路１４から割込信号を送出させ、上述の伝送手順を経た後にＯＮアドレスのデータ（Ｐ１）を返送信号として伝送ユニット１に返送させる。この時、伝送ユニット１は熱線センサ付自動スイッチ２から受信した返送信号に基づいて対応するリレー制御端末器４に制御データを送出し、複数台の照明器具５をパターンＰ１で全点灯させる。その後、検知入力が無くなってから所定の動作保持時間が経過すると、ＣＰＵ１０は、多重伝送信号送受信回路１４から割込信号を送出させ、上述の伝送手順を経た後に消灯アドレスのデータ（Ｐ３）を返送信号として伝送ユニット１に返送させる。この時、伝送ユニット１は熱線センサ付自動スイッチ２から受信した返送信号に基づいて対応するリレー制御端末器４に制御データを送出し、パターンＰ３で設定した全ての照明器具５を消灯させる。
【００８３】
その後、タイマ回路１９のカウントした現在時刻が不揮発性メモリ１８に設定された復旧時刻を過ぎると、ＣＰＵ１０は、検知入力があった場合、検知入力から動作保持時間が経過した時点で照明器具５をＯＦＦアドレスの制御内容で制御する（すなわち照明器具５を調光点灯させる）。なお、遅延制御を行う場合の動作（図１８（ｅ）参照）は実施形態１と同様であるので、その説明は省略する。
また、不揮発性メモリ１８に復旧時刻が設定されていない場合には、明るさセンサの検出した周囲照度が基準となる明るさレベルよりも明るくなった時点で、元の制御動作に復帰し、その後の制御時には、検知入力から動作保持時間が経過した時点で照明器具５をＯＦＦアドレスの制御内容で制御する。
【００８４】
上述した実施形態１では、夜間に真っ暗なのは不用心であったり、またイメージが悪いために、検知入力時から動作保持時間が経過するまでは照明器具５をＯＮアドレスの制御内容に基づいて全点灯させ、その後はＯＦＦアドレスの制御内容に基づいて間引き点灯させたり調光点灯しているが、深夜は人通りが少ないので省エネのため、間引き点灯している照明器具や調光点灯している照明器具を消灯させるのが望ましい。そこで、本実施形態では動作保持時間の経過後に照明器具５を消灯させるような制御を行う消灯時刻を設定できるようにしており、所望の時間帯においては照明器具５を全消灯させることで、省エネを図っている。
【００８５】
ここで、本実施形態においても実施形態１と同様に動作に関わる設定項目の値を調整することができ、設定項目としてＯＮアドレスと、ＯＦＦアドレスと、入切アドレスと、遅延アドレスと、動作保持時間と、動作遅延時間と、明るさレベルと、動作保持時間の経過後に消灯アドレスによる制御を開始する時刻（消灯時刻）と、消灯時刻後に制御するアドレス（消灯アドレス）と、ＯＦＦアドレスによる制御を有効にする時刻（復旧時刻）と、現在時刻と、を調整可能としている。図１９（ａ）〜（ｋ）は液晶表示部１６ａの表示例を示し、画面の上側には設定項目の内容が、画面の下側にはその値がそれぞれ表示されており、操作釦１７ｃ，１７ｄを押操作することで表示項目の表示が所定の順番で切り替えられて、各設定項目の設定値を確認することができる。なお図１９（ａ）はＯＮアドレスの表示画面、図１９（ｂ）はＯＦＦアドレスの表示画面、図１９（ｃ）は入切アドレスの表示画面、図１９（ｄ）は遅延アドレスの表示画面、図１９（ｅ）は動作保持時間の表示画面、図１９（ｆ）は動作遅延時間の表示画面、図１９（ｇ）は明るさレベルの表示画面、図１９（ｈ）は消灯時刻の表示画面、図１９（ｉ）は消灯アドレスの表示画面、図１９（ｊ）は復旧時刻の表示画面、図１９（ｋ）は現在時刻の表示画面である。各設定項目の値を設定する手順は実施形態１と同様であるので、その説明は省略する。
【００８６】
（実施形態４）
本発明の実施形態４を図２０及び図２１に基づいて説明する。
【００８７】
本実施形態では、実施形態１の熱線センサ付自動スイッチにおいて、動作に関わる設定項目として熱線センサの感度レベルを追加している。尚、熱線センサ付自動スイッチの構造及び動作は実施形態１と同様であるので、同一の構成要素には同一の符号を付して、図示及び説明は省略する。
【００８８】
本実施形態においても実施形態１と同様に動作に関わる設定項目の値を調整することができ、設定項目としてＯＮアドレスと、ＯＦＦアドレスと、入切アドレスと、遅延アドレスと、動作保持時間と、動作遅延時間と、明るさレベルと、感度レベルと、を調整可能としている。図２０（ａ）〜（ｈ）は液晶表示部１６ａの表示例を示しており、図２０（ａ）はＯＮアドレスの表示画面、図２０（ｂ）はＯＦＦアドレスの表示画面、図２０（ｃ）は入切アドレスの表示画面、図２０（ｄ）は遅延アドレスの表示画面、図２０（ｅ）は動作保持時間の表示画面、図２０（ｆ）は動作遅延時間の表示画面、図２０（ｇ）は明るさレベルの表示画面、図２０（ｈ）は感度レベルの表示画面であり、画面の上側には設定項目の内容が、画面の下側にはその値がそれぞれ表示されている。尚、各設定項目の値を設定する手順は実施形態１と同様であるので、その説明は省略する。
【００８９】
ここで、感度レベルの設定値は不揮発性メモリ１８に記憶され、ＣＰＵ１０は、この設定値を熱線センサ検出回路１１からの検知入力の閾値として用いている。図２１（ａ）は熱線センサ検出回路１１からの検知入力を、図２１（ｂ）（ｃ）（ｄ）は感度レベルをそれぞれ低、中、高に設定した場合の判定結果を示しており、感度レベルを低くするほど（すなわち閾値を高くするほど）、熱線を検知しにくくなっている。
【００９０】
熱線センサの検知感度が固定の場合は、検知距離が長い場所や周囲温度が高い場所では熱線を検知しにくく、逆に空気の流れがある場所では誤検知しやすいが、本実施形態では熱線センサの検知感度を調整することができるので、前者の場合は検知感度を上げ、後者の場合は検知感度を下げることで、設置場所に応じた検知感度で熱線を検知することができる。
【００９１】
（実施形態５）
本発明の実施形態５を図２２及び図２３に基づいて説明する。尚、熱線センサ付自動スイッチ２の構成及び動作は実施形態１と同様であるので、その説明は省略する。
【００９２】
図２２は本実施形態の熱線センサ付自動スイッチ２を用いる遠隔監視制御システムのシステム構成図であり、本実施形態では動作保持時間を調整するための端末器７と、動作遅延時間を調整するための端末器８と、基準となる明るさレベルを調整するための端末器９とを信号線Ｌｓに接続してある。各端末器７〜９は、設定項目の値をアップ又はダウンさせるアップボタンＳａ、ダウンボタンＳｂと、現在の設定値をレベル表示するレベル表示部Ｌｖと、設定値を決定する際に操作するオン／オフボタンＳｃとを備えており、これらの端末器７〜９を用いて各設定項目の値を設定できるようになっている。
【００９３】
ここで、熱線センサ付自動スイッチ２の不揮発性メモリ１８には設定項目としてＯＮアドレスと、ＯＦＦアドレスと、入切アドレスと、遅延アドレスと、動作保持時間と、動作保持時間を調整するためのアドレス（動作保持アドレス）と、動作遅延時間と、動作遅延時間を調整するためのアドレス（動作遅延アドレス）と、明るさレベルと、明るさレベルを調整するためのアドレス（明るさアドレス）と、を設定可能としている。図２３（ａ）〜（ｊ）は液晶表示部１６ａの表示例を示しており、図２３（ａ）はＯＮアドレスの表示画面、図２３（ｂ）はＯＦＦアドレスの表示画面、図２３（ｃ）は入切アドレスの表示画面、図２３（ｄ）は遅延アドレスの表示画面、図２３（ｅ）は動作保持時間の表示画面、図２３（ｆ）は動作保持アドレスの表示画面、図２３（ｇ）は動作遅延時間の表示画面、図２３（ｈ）は動作遅延アドレスの表示画面、図２３（ｉ）は明るさレベルの表示画面、図２３（ｊ）は明るさアドレスの表示画面であり、画面の上側には設定項目の内容が、画面の下側にはその値がそれぞれ表示されている。尚、各設定項目の値を設定する手順は実施形態１と同様であるので、その説明は省略する。このように、本実施形態では動作保持アドレス、動作遅延アドレス、及び明るさアドレスを設定できるようになっており、これらのアドレスを各端末器７〜９に割り当ててある。
【００９４】
各端末器７〜９の具備する入力手段としてのアップボタンＳａ、ダウンボタンＳｂを押操作すると、各端末器７〜９から割込信号が送出され、上述の伝送手順を経た後にそれぞれの設定項目の値を徐々に増加させるアップ信号又は徐々に減少させるダウン信号が返送信号として伝送ユニット１に返送される。伝送ユニット１は、各端末器７〜９から受信した返送信号に基づいて熱線センサ付自動スイッチ２に制御データを送出し、熱線センサ付自動スイッチ２ではＣＰＵ１０が対応する設定項目の値を徐々に増加／減少させるとともに、液晶表示回路１６を用いて液晶表示部１６ａにその値を表示させる。各端末器７〜９では、アップボタンＳａ又はダウンボタンＳｂを押し続けている間、レベル表示部Ｌｖの表示を増加又は減少させており、アップボタンＳａ又はダウンボタンＳｂを離すと、各端末器７〜９から割込信号が送出され、上述の伝送手順を経た後に設定項目の増減を停止させるストップ信号が返送信号として伝送ユニット１に返送される。この時、伝送ユニット１は、各端末器７〜９から受信した返送信号に基づいて熱線センサ付自動スイッチ２に制御データを送出し、熱線センサ付自動スイッチ２では設定部としてのＣＰＵ１０が対応する設定項目の値の増減を停止し、現在の値を不揮発性メモリ１８に記憶させる。また、各端末器７〜９において設定項目の値を所望の値に調整した後に、オン／オフボタンＳｃを１回押すとレベル表示部Ｌｖの表示がオフになり、もう一度押すとレベル表示部Ｌｖの表示がオンになって、現在の設定値がレベル表示部Ｌｖの表示の中央値に設定される。
【００９５】
実施形態１ではスイッチ本体に設けた操作部１７ａ〜１７ｄを用いて設定作業を行っているので、施工後に設定変更を行う場合は天井面で変更作業を行わねばならないが、本実施形態では信号線Ｌｓに接続された端末器７〜９を用いて熱線センサ付自動スイッチ２の設定項目の値を調整しているので、設定作業を壁面で行うことができ、離れた場所から所望の設定項目の値を容易に調整することができる。また、各端末器７〜９は既存の調光操作端末器と同様の構成を有しているので、既存の端末器を利用して設定作業を行うことができる。
【００９６】
（実施形態６）
本発明の実施形態６を図２４〜図２８に基づいて説明する。
【００９７】
本実施形態では、実施形態１の熱線センサ付自動スイッチ２において、ボディ２１の下面に赤外線信号のようなワイヤレス信号を送受信するワイヤレス送受信部の投受光窓２０を設け、この投受光窓２０の裏面側に発光ダイオードおよびフォトダイオードを配置してある。そして、ワイヤレス設定器５０からワイヤレス信号で送信された設定項目の値をワイヤレス送受信部で受信し、受信した設定項目の値を設定部としてのＣＰＵ１０が不揮発性メモリ１８に記憶させており、離れた場所から所望の設定項目の値を設定することができる。
【００９８】
図２５はワイヤレス設定器５０の外観図、図２６はワイヤレス設定器のブロック図であり、このワイヤレス設定器５０の器体は手で把持可能な大きさに形成され、器体の内部にはマイクロコンピュータ（以下、マイコンと略称する）を主構成とする信号処理部５１が収納される。信号処理部５１には、システムプログラムを格納したフラッシュメモリよりなるプログラムメモリ６０ａ、上記の設定項目を設定する際に作成したデータを格納しておくフラッシュメモリよりなるデータメモリ６０ｂ、一時的に記憶すべきデータを格納するＳＲＡＭよりなる作業用メモリ６０ｃがデータバスＢＤＴおよびアドレスバスＢＡＤを介して接続されている。ここに、フラッシュメモリは無給電でも記憶内容を保持するから、プログラムメモリ６０ａに格納されたプログラムおよびデータメモリ６０ｂに格納された設定項目のデータは、電源がオフになった後も保持することができる。
【００９９】
信号処理部５１には液晶表示器５３が接続されており、この液晶表示器５３は器体の前面上部に配置されている。液晶表示器５３はバックライトを備え、バックライトはバックライト制御回路５４により発光輝度が制御される。バックライトはバックライトスイッチＳ１２によって点灯・消灯の指示がなされる。
【０１００】
また信号処理部５１には設定項目の選択操作や設定値の入力操作を行うための４個の操作釦６１ａ〜６１ｄが接続されており、各操作釦６１ａ〜６１ｄは器体の前面下部に配置されている。操作釦６１ａは決定操作を行うためのボタン、操作釦６１ｂはキャンセル操作を行うためのＥＳＣボタンであり、操作釦６１ｃ，６１ｄは設定項目の選択時には設定項目の切り替えボタンとして機能し、設定項目の値を入力する際には操作釦６１ｃが設定項目の値を増加させるボタン、操作釦６１ｄが設定項目の値を減少させる釦として機能する。また、器体の前面には現在の設定値を確認する際に操作する確認ボタン６２ａと、設定項目の設定操作を行う際に操作する設定ボタン６２ｂとが配置されている。
【０１０１】
また、赤外線を媒体とする光ワイヤレス信号を投受光する光送受信回路５５も信号処理部５１に接続されている。光送受信回路５５は赤外線を投受光するための発光ダイオードおよびフォトダイオードを備える。器体の上面には赤外線を透過させる投受光窓５５ｃが装着され、投受光窓５５ｃの裏面側に発光ダイオードおよびフォトダイオードを配置してある。また、操作釦６１ａ〜６１ｄによる操作の確認音や誤操作時の警告音などを発生させるためのブザーＢｚも信号処理部５１に接続されている。
【０１０２】
また信号処理部５１は、送受信回路５２および電源スイッチＳ１０を介して信号線Ｌｓに接続するためのレセプタクル５９に接続されている。送受信回路５２は遠隔監視制御システムの信号線Ｌｓを介して伝送ユニット１との間でのデータ伝送を可能とする回路であり、ワイヤレス通信により直接設定値を送信する以外にも信号線Ｌｓを介して伝送ユニット１に設定項目の値を送信し、伝送ユニット１を介して熱線センサ付自動スイッチ２に設定項目の値を設定することもできるようになっている。すなわち、ワイヤレス設定器５０は実施形態５で説明した端末器７〜９と同様の機能も有している。
【０１０３】
レセプタクル５９は例えばジャック型に形成されており、ワイヤレス設定器５０を信号線Ｌｓに接続する際にはレセプタクル５９に着脱自在に結合されるコネクタを一端部に備える接続線（図示せず）を用い、接続線の他端を信号線Ｌｓに電気的に接続する。
【０１０４】
このワイヤレス設定器５０は、レセプタクル５９を介して信号線Ｌｓに接続しているときには、信号線Ｌｓに伝送されている伝送信号を整流し安定化することによって内部電源を得ることができる。また、信号線Ｌｓに接続していないときには電源として内蔵した電池（図示せず）を用いることができる。したがって、内部回路に給電するための電源回路５６では信号線Ｌｓからの電力と電池からの電力との一方を選択して内部回路に供給する。ここに、信号線Ｌｓに接続されているか否かは信号有無検出回路５７に伝送信号が入力されるか否かで判断される。また、ワイヤレス設定器５０には電池の残容量を検出する電池残量検出回路５８が設けられている。
【０１０５】
ここで、各設定項目の値を設定する際には、設定ボタン６２ｂを押操作すると液晶表示器５３に実施形態１で説明したのと同様の設定画面が表示される。この設定画面で各操作釦６１ａ〜６１ｄを操作して、所望の値を入力した後、設定ボタン６２を押すと、光送受信回路５５から設定項目の設定値がワイヤレス信号で送信される。この時、熱線センサ付自動スイッチ２ではワイヤレス送受信部がワイヤレス信号で送信された設定値を受信し、ＣＰＵ１０が不揮発性メモリ１８に設定項目の値を記憶させる。また、各設定項目の設定値を確認する際には、操作釦６１ａ〜６１ｄを操作して所望の設定項目を選択した後に確認ボタン６２ａを押すと、光送受信回路５５から現在の設定値を要求する信号がワイヤレス信号で送信される。熱線センサ付自動スイッチ２ではワイヤレス送受信部がワイヤレス信号で送信された要求信号を受信すると、この要求信号に基づいてＣＰＵ１０が不揮発性メモリ１８から現在の設定値を読み出し、ワイヤレス送受信部から送信させる。この時、ワイヤレス設定器５０では、光送受信回路５５がワイヤレス信号で送信された設定値を受信し、受信した設定値を液晶表示器５３に表示させているので、液晶表示器５３の表示から現在の設定値を確認することができる。実施形態１ではスイッチ本体に設けた操作部１７ａ〜１７ｄを用いて設定作業を行っているので、施工後に設定変更を行う場合は天井面で変更作業を行わねばならないが、本実施形態ではワイヤレス設定器５０を用いて熱線センサ付自動スイッチ２の設定項目の値を調整しているので、手元で所望の設定項目の値を調整することができる。
【０１０６】
ところで、図２５及び図２６に示すワイヤレス設定器５０は熱線センサ付自動スイッチ２の動作に関わる設定項目を設定する専用のものであるが、図２７及び図２８に示すようにアドレスデータを設定するワイヤレス設定器５０’に熱線センサ付自動スイッチ２の設定項目を設定する機能を持たせても良い。
【０１０７】
このワイヤレス設定器５０’の構成は上述したワイヤレス設定器５０と略同様であるが、熱線センサ付自動スイッチ２の所定の設定項目を設定するための４個の操作釦６１ａ〜６１ｄからなる操作釦６１の他に、アドレスデータを設定するための複数の操作釦からなるアドレス設定用ボタン６４を設けてあり、器体の前面にアドレス設定用ボタン６４と操作釦６１とを上下に分けて配置してある。
【０１０８】
また本実施形態では、アドレスデータの設定時に用いるアドレス設定用光送受信回路５５ａと、熱線センサ付自動スイッチ２に設定項目を設定する際に用いる熱線センサ設定用光送受信回路５５ｂとで光送受信回路５５を構成してあり、設定内容に応じて光送受信回路切替部６３が送受信回路を切り替えている。アドレス設定用光送受信回路５５ａでは、意図しない別の端末器に設定データが受信されるのを防止するために、発光素子に流す電流を小さくするとともに、受光素子の感度を下げて、通信距離を短くしている。一方、熱線センサ付自動スイッチ２は天井に埋設固定されているので、熱線センサ付自動スイッチ２に設定データを送信する際には送信出力を大きくする必要があり、熱線センサ設定用光送受信回路５５ｂでは発光素子に流す電流を多くするとともに、受光素子の感度を上げて、通信距離を長くしている。
【０１０９】
このように、アドレス設定用のワイヤレス設定器５０’に、熱線センサ付自動スイッチ２の設定項目を設定する機能を持たせているので、１台のワイヤレス設定器５０’でアドレスデータと熱線センサ付自動スイッチ２の動作に関わる設定値の両方を設定することができ、２つの設定器を持つ必要がない。
【０１１０】
【発明の効果】
上述のように、請求項１の発明は、それぞれ個別のアドレスデータが設定された複数台の端末器を信号線に接続し、信号線に接続された伝送ユニットからアドレスデータを含む伝送信号を信号線に時分割多重伝送方式で送出することによって各端末器を個別にアクセスし、伝送ユニットは、伝送信号に同期して設定した信号返信期間に何れかの端末器からの監視データを受信すると、監視データに基づいて制御データを作成し、監視データを発生した端末器とアドレスの対応関係が設定された端末器に対して制御データを上記伝送信号により伝送し、当該端末器では受信した制御データにより負荷の動作を制御する遠隔監視制御システムに用いられ、所定の検知エリア内の人体から放射される熱線を検知する熱線センサ部と、信号線に接続されて時分割多重伝送方式により伝送信号を授受する伝送通信部と、熱線センサ部の検知入力に基づいて負荷を制御する監視データを出力する信号処理部と、信号処理部の出力した監視データを伝送通信部から送信させる伝送制御部と、各部を収納するとともに熱線センサ部が前面に配置され、前面を露出させた状態で天井面に設けた取付孔に埋込配設されるスイッチ本体と、スイッチ本体の前面における熱線センサ部以外の部位を着脱自在に覆う化粧カバーとを備え、押操作に応じて各部の動作に関わる設定項目の値を増減させる設定値入力部、及び該設定値入力部を用いて調整される値を表示する表示部をスイッチ本体前面の化粧カバーで覆われる部位に配置したことを特徴とし、設定値入力部を用いて設定項目の値を増減させると、その値が表示部に表示されるので、表示部の値を見ながら設定項目の値を所望の値に正確に設定することができる。しかも、設定値入力部及び表示部はスイッチ本体の前面に配置され、スイッチ本体に着脱自在に取り付けられる化粧カバーで覆われているので、化粧カバーを外せばスイッチ本体を天井面に取り付けたままで設定作業を行うことができ、そのうえ常時は化粧カバーで覆われているので、悪戯などによって設定値が変更されるのを防止でき、また外観の見栄えを良くできる。
【０１１１】
請求項２の発明は、請求項１の発明において、上記信号線には上記設定項目の値を入力する入力手段を備えた設定用の端末器が接続され、上記伝送ユニットは、設定用の端末器が入力手段の入力操作に応じて発生した監視データを受信すると、受信した監視データに応じて上記設定項目の値を設定するための制御データを作成し、作成した制御データを伝送信号により伝送しており、上記伝送通信部が受信した伝送信号に含まれる制御データに応じて設定項目の値を設定する設定部を設けたことを特徴とし、信号線に接続された設定用の端末器を用いて、離れた場所から所望の設定項目の値を設定することができる。
【０１１２】
請求項３の発明は、請求項１の発明において、外部の設定器からワイヤレス信号で送信される設定値を受信するワイヤレス受信部と、ワイヤレス受信部で受信した設定項目の値を設定する設定部とを備えて成ることを特徴とし、設定項目の値をワイヤレス信号で送信する設定器を用いて、離れた場所から所望の設定項目の値を設定することができる。
【０１１３】
請求項４の発明は、請求項１乃至請求項３の何れか１つの発明において、信号処理部は、熱線センサ部が熱線を検知すると負荷を動作させるとともに、熱線センサ部が熱線を検知しなくなってから所定の動作保持時間が経過した時点で負荷を停止させるような制御を行っており、上記設定項目が動作保持時間であることを特徴とし、動作保持時間の設定を正確に行える。
【０１１４】
請求項５の発明は、請求項１乃至請求項３の何れか１つの発明において、上記設定項目は、信号処理部が熱線センサ部の検知入力に応じて制御動作を行う時間帯の開始時刻及び終了時刻であることを特徴とし、熱線センサ部の検知入力に応じて制御動作を行う時間帯を正確に設定することができる。
【０１１５】
請求項６の発明は、請求項１乃至請求項３の何れか１つの発明において、上記負荷は照明器具であり、信号処理部は、予め設定された消灯時間帯以外では熱線センサ部が熱線を検知すると照明器具を所定の照度レベルで点灯させるとともに、熱線センサ部が熱線を検知しなくなってから所定の動作保持時間が経過した時点で照度レベルを低下させ、低下させた照度レベルで点灯させ続け、且つ、消灯時間帯においては熱線センサ部が熱線を検知すると照明器具を所定の照度レベルで点灯させるとともに、熱線センサ部が熱線を検知しなくなってから所定の動作保持時間が経過した時点で照明器具を消灯させるような制御を行っており、上記設定項目が、上記消灯時間帯の開始時刻及び終了時刻であることを特徴とし、消灯時間帯の開始時刻及び終了時刻を正確に設定することができる。
【０１１６】
請求項７の発明は、請求項１乃至請求項３の何れか１つの発明において、上記設定項目が熱線センサ部の検知感度であることを特徴とし、設置場所に応じて感度を変更することができる。
【０１１７】
請求項８の発明は、請求項１乃至請求項３の何れか１つの発明において、上記設定項目がアドレスデータであることを特徴とし、アドレスデータの設定器を別途用意する必要がなく、熱線センサ付自動スイッチでアドレスデータの設定が行える。
【図面の簡単な説明】
【図１】実施形態１の熱線センサ付自動スイッチを示し、（ａ）はプレートを外した状態の下面図、（ｂ）は側面図である。
【図２】同上の分解斜視図である。
【図３】同上のブロック図である。
【図４】同上を用いる遠隔監視制御システムのシステム構成図である。
【図５】（ａ）〜（ｃ）は同上に用いる伝送信号の説明図である。
【図６】（ａ）〜（ｄ）は同上の動作を説明するタイムチャートである。
【図７】（ａ）〜（ｇ）は同上の液晶表示部の表示画面の説明図である。
【図８】（ａ）〜（ｆ）は同上のＯＦＦアドレスの設定手順の説明図である。
【図９】（ａ）〜（ｇ）は同上の動作保持時間の設定手順の説明図である。
【図１０】（ａ）〜（ｄ）は同上の別の動作を説明するタイムチャートである。
【図１１】（ａ）〜（ｈ）は同上の液晶表示部の表示画面の説明図である。
【図１２】実施形態２の熱線センサ付自動スイッチのブロック図である。
【図１３】（ａ）〜（ｄ）は同上の動作を説明するタイムチャートである。
【図１４】（ａ）〜（ｉ）は同上の液晶表示部の表示画面の説明図である。
【図１５】（ａ）〜（ｄ）は同上の別の動作を説明するタイムチャートである。
【図１６】（ａ）〜（ｊ）は同上の液晶表示部の表示画面の説明図である。
【図１７】実施形態３の熱線センサ付自動スイッチのブロック図である。
【図１８】（ａ）〜（ｅ）は同上の動作を説明するタイムチャートである。
【図１９】（ａ）〜（ｋ）は同上の液晶表示部の表示画面の説明図である。
【図２０】（ａ）〜（ｈ）は実施形態４の熱線センサ付自動スイッチの液晶表示部の表示画面の説明図である。
【図２１】同上の動作を説明する説明図である。
【図２２】実施形態５の熱線センサ付自動スイッチを用いる遠隔監視制御システムのシステム構成図である。
【図２３】（ａ）〜（ｊ）は同上の液晶表示部の表示画面の説明図である。
【図２４】実施形態６の熱線センサ付自動スイッチを示し、（ａ）はプレートを外した状態の下面図、（ｂ）は側面図である。
【図２５】同上に用いるワイヤレス設定器の外観図である。
【図２６】同上のブロック図である。
【図２７】同上に用いる別のワイヤレス設定器の外観図である。
【図２８】同上のブロック図である。
【符号の説明】
２  熱線センサ付自動スイッチ
１６ａ  液晶表示部
１７ａ〜１７ｄ  操作釦
２１  ボディ
２４  カバー
２５  プレート
２７  回転体
【図１】
2004150834.tif 000003
【図２】
2004150834.tif 000004
【図３】
2004150834.tif 000005
【図４】
2004150834.tif 000006
【図５】
2004150834.tif 000007
【図６】
2004150834.tif 000008
【図７】
2004150834.tif 000009
【図８】
2004150834.tif 000010
【図９】
2004150834.tif 000011
【図１０】
2004150834.tif 000012
【図１１】
2004150834.tif 000013
【図１２】
2004150834.tif 000014
【図１３】
2004150834.tif 000015
【図１４】
2004150834.tif 000016
【図１５】
2004150834.tif 000017
【図１６】
2004150834.tif 000018
【図１７】
2004150834.tif 000019
【図１８】
2004150834.tif 000020
【図１９】
2004150834.tif 000021
【図２０】
2004150834.tif 000022
【図２１】
2004150834.tif 000023
【図２２】
2004150834.tif 000024
【図２３】
2004150834.tif 000025
【図２４】
2004150834.tif 000026
【図２５】
2004150834.tif 000027
【図２６】
2004150834.tif 000028
【図２７】
2004150834.tif 000029
【図２８】
2004150834.tif 000030